(57)【特許請求の範囲】
【請求項１】
固定ダイスと可動ダイス間に容器をセットし、可動ダイスを固定ダイス側に押圧移動させることにより容器を密封する熱分析試料容器の密封治具において、
前記可動ダイスを押圧移動自在に支持する支持ブロックに、２つの互いに連通する大径シリンダ及び小径シリンダを設け、前記大径シリンダ内及び小径シリンダ内にそれぞれ摺動自在に大径ピストン及び小径ピストンを挿入すると共に、大径ピストンと小径ピストンとの間の密閉空間に作動液を封入し、前記大径ピストンに前記可動ダイスを固定し、前記小径ピストンに操作部材を固定したことを特徴とする熱分析試料容器の密封治具。
【請求項２】
前記支持ブロックを垂直に立て、該支持ブロックの上下方向の中心線上に前記両方のシリンダを形成し、下側に形成した大径シリンダ内の大径ピストンの下端に前記可動ダイスを設けると共に、上側に形成した小径シリンダの上端に前記操作部材としてのねじ軸付きハンドルを設け、前記支持ブロックに、前記ねじ軸をねじ込むことにより小径ピストンを下降させるねじ孔を設けたことを特徴とする請求項１記載の熱分析試料容器の密封治具。
【請求項３】
前記支持ブロックを、前記固定ダイスを取り付けたスタンドにねじ機構を介して上下動自在に組み付けたことを特徴とする請求項２記載の熱分析試料容器の密封治具。
【発明の詳細な説明】
【０００１】
【発明の属する技術分野】
本発明は、熱分析試料容器の密封治具に関する。
【０００２】
【従来の技術】
熱分析装置（例：ＤＳＣ）で試料を分析・測定する場合、試料を試料容器に入れ、これを装置にセットして測定するのが最も一般的である。この場合、試料の種類や測定の条件等によっては、容器を治具を用いて密封する必要がある。
【０００３】
図２は容器の例（ａ）と密封の仕方の例（ｂ）を示している。容器１は、本体２と蓋３からなり、本体２及び蓋３に、圧接のための外周フランジ２ａ、３ａが設けられている。密封に際しては、本体２内に試料Ｗを入れて蓋３を被せ、下側の固定ダイス５の上に載置する。そして、上側の可動ダイス６を下動させることにより、外周フランジ２ａ、３ａの合わせ部Ｐを強く圧接して容器１を密封している。
【０００４】
従来、その密封するための治具として、図３に示す構造のものを用いていた。この治具１０は、コ字形のスタンド１１のベース部１１ａの装着孔１２に固定ダイス（下側ダイス）を取り付け、スタンド１１のアーム部１１ｂに設けた上下動ブロック１３に可動ダイス（上側ダイス）６を取り付けたものである。上下動ブロック１３は、回転止めされた状態でスタンド１１に上下スライド自在に取り付けられており、その上端には、操作部材である押圧ねじ軸１４が、回転を伝えない構造の継手１７を介して連結されている。また、押圧ねじ軸１４は、スタンド１１のアーム部１１ｂに形成したねじ孔１６に螺合され、ハンドル１５を手で持って押圧ねじ軸１４を回すことにより、ねじの作用で上下動ブロック１３を上下動させることができるようになっている。
【０００５】
この治具１０で前記の容器１を密封する場合、固定ダイス５と可動ダイス６の間に容器１をセットし、ハンドル１５を回して上下動ブロック１３を下動させることより、可動ダイス６で蓋３と本体２を圧接して密封する。
【０００６】
【発明が解決しようとする課題】
しかしながら、ねじの作用で発生する直線力によって直接可動ダイス６を動かすので、確実に圧接するためには非常に大きな力が必要であり、現実的には十分なシールができないことがあった。
【０００７】
本発明は、上記事情を考慮し、小さい力で確実な密封を行い得る熱分析試料容器の密封治具を提供することを目的とする。
【０００８】
【課題を解決するための手段】
請求項１の発明は、固定ダイスと可動ダイス間に容器をセットし、可動ダイスを固定ダイス側に押圧移動させることにより容器を密封する熱分析試料容器の密封治具において、可動ダイスを押圧移動自在に支持する支持ブロックに、２つの互いに連通する大径シリンダ及び小径シリンダを設け、大径シリンダ内及び小径シリンダ内にそれぞれ摺動自在に大径ピストン及び小径ピストンを挿入すると共に、大径ピストンと小径ピストンとの間の密閉空間に作動液を封入し、大径ピストンに可動ダイスを固定し、小径ピストンに操作部材を固定したことを特徴とする。
【０００９】
請求項２の発明は、請求項１において、前記支持ブロックを垂直に立て、該支持ブロックの上下方向の中心線上に前記両方のシリンダを形成し、下側に形成した大径シリンダ内の大径ピストンの下端に前記可動ダイスを設けると共に、上側に形成した小径シリンダの上端に前記操作部材としてのねじ軸付きハンドルを設け、支持ブロックに、前記ねじ軸をねじ込むことにより小径ピストンを下降させるねじ孔を設けたことを特徴とする。
【００１０】
請求項３の発明は、請求項２において、前記支持ブロックを、固定ダイスを取り付けたスタンドにねじ機構を介して上下動自在に組み付けたことを特徴とする。
【００１１】
【発明の実施の形態】
以下、本発明の実施形態を図面に基づいて説明する。
図１は実施形態の密封治具の断面図である。この治具２０は、簡単に言えば、パスカルの原理を利用して、小さい操作力で大きな仕事力（可動ダイスを動かす力）を発生させるものである。
【００１２】
この治具２０の主要部であるコ字形のスタンド２１は、ベース部２１ａとアーム部２１ｂとを有する。ベース部２１ａの装着孔１２には固定ダイス５が取り付けられている。アーム部２１ｂの貫通穴２２には、可動ダイス６を押圧移動自在に支持する円柱形状の支持ブロック２３が垂直に立てて装着されている。支持ブロック２３は、支持ブロック２３の外周と貫通穴２２の内周に設けたねじ機構２４を介して、支持ブロック２３を回すことで上下に自由に動くように、スタンド２１に組み付けられている。
【００１３】
支持ブロック２３の上下方向の中心線上には、２つの互いに連通する大径シリンダ２５及び小径シリンダ２６が連続して形成されている。下側の大径シリンダ２５及び上側の小径シリンダ２６内には、それぞれ摺動自在に大径ピストン２７及び小径ピストン２９が挿入されている。各ピストン２７、２９の外周にはパッキング２８、３０が装着され、大径ピストン２７と小径ピストン２９との間の密閉空間３１には、両ピストン２７、２９間での力の伝達を行う作動オイル（作動液）３２が封入されている。
【００１４】
そして、下側の大径ピストン２７の下端に可動ダイス６が一体に形成され、上側の小径ピストン２９の上端に、ねじ軸（操作部材）３３が一体に形成されている。このねじ軸３３は、小径シリンダ２６の更に上側に形成したねじ孔３４に螺合されており、ねじ軸３３の上端に固定したハンドル（操作部材）３５を回すことで上下に動く。なお、支持ブロック２３の外周のねじ機構２４と、ねじ軸３３のねじの向きは同じ方向に揃えておく。
【００１５】
次に作用を説明する。
準備として、支持ブロック２３を適当な高さに設定すると共に、ハンドル３５を回して小径ピストン２９を最上部まで引き上げておく。次いで、固定ダイス５の上に試料容器１の本体２と蓋３（図２参照）を載せ、その状態で、支持ブロック２３を回して下方に下げ、可動ダイス６を容器１に軽く押し当てる。
【００１６】
次いで、ハンドル３５を回してねじ軸３３を下方に下げ、可動ダイス６を試料容器１の上に強く押し付ける。このとき、パスカルの原理により、小径ピストン２９に加える力に比べて大径ピストン２７に作用する力が面積比に応じて増大するので、従来ほど大きな力でハンドル３５を回さなくても、大径ピストン２７に作用する大きな力で容器１を圧接することができ、確実に容器１を密封することができる。
【００１７】
また、本治具２０によれば、予め支持ブロック２３の高さを調節することで可動ダイス６を容器１に押し当てておくことができるため、小径ピストン２９のストロークを小さくすることができ、構造のコンパクト化が図れる。
【００１８】
なお、操作部材（ねじ軸３３、ハンドル３５）側に位置する小径シリンダ２６は、大径シリンダ２５と連通する条件を満たせば、必ずしも大径シリンダ２５の上側に設けなくてもよく、芯をずらして設けたり、横向きに設けたりすることも可能である。
【００１９】
また、操作部材も、ハンドル式に限らず、小径ピストン２９を小さな力で動かし得る形式のものであれば、種々変更可能である。
【００２０】
【発明の効果】
以上説明したように、請求項１の発明の密封治具は、パスカルの原理を利用した力の増大機構を備えているので、小さい力で確実に容器を密封することができる。また、請求項２の発明によれば、ハンドルを回すことで小径ピストンを動かすようにしているので、操作が簡単であり、操作力も小さくて済む。また、請求項３の発明によれば、操作の前に予め支持ブロックの位置を調節することで可動ダイスを容器に軽く押し当て、その後で小径ピストンを動かすことで可動ダイスを容器に強く押し付けることができるので、小径ピストンのストロークを小さくすることができ、治具のコンパクト化が図れる。
【図面の簡単な説明】
【図１】本発明の実施形態の断面図である。
【図２】熱分析試料容器の例（ａ）と密封の仕方の例（ｂ）を示す断面図である。
【図３】従来の密封治具の断面図である。
【符号の説明】
５  固定ダイス
６  可動ダイス
１  容器
２０  密封治具
２１  スタンド
２４  ねじ機構
２３  支持ブロック
２５  大径シリンダ
２６  小径シリンダ
２７  大径ピストン
２９  小径ピストン
３２  作動オイル（作動液）
３３  ねじ軸
３５  ハンドル（操作部材）
【図１】
0003657387.tif 000002
【図２】
0003657387.tif 000003
【図３】
0003657387.tif 000004